(57)【要約】【課題】底蓋の開閉を支障なく行える一方、例えば操作レバー等が作業者の身体等に誤って接触したような場合等であっても、底蓋が不用意に開くのを確実に防止することのできる簡単な構造のストッパーを備えた底蓋開閉式のボックス型パレットを提供する。【解決手段】ストッパー片５６の先端部５６ａが立設片３２の上端に係合して立設片３２をロックしている状態では、ばね部材６４の伸縮方向を示す軸線α１が前記ストッパー片５６を軸支する揺動軸５８の中心よりも下側に配置され、ストッパー片５６の先端が立設片３２から離間して立設片３２のロックを解除した状態では、ばね部材６４の伸縮方向を示す軸線α２が揺動軸５８の中心を超えて上方へと移動するクリック機構を設ける。【選択図】図１
2010285206.tif 000002
【特許請求の範囲】
【請求項１】
上下両面が開放されたボックス本体の下端後縁部に、底蓋の後縁部を回動自在に取り付け、その底蓋により前記ボックス本体の下面開口部を開閉自在に構成した底蓋開閉式のボックス型パレットであって、
（ａ）前記底蓋の前縁部左右両端に突設された被係合体と、
（ｂ）前記ボックス本体の下端前縁に沿って形成され、前記被係合体に対して係合・離脱底蓋受けロッド、該底蓋受けロッドの両端部から立設され且つ前記ボックス本体の側板に回動自在に取り付けられ、底蓋の係止解除用の操作レバーにて操作される左右一組の立設片、及び底蓋受けロッドを被係合体との係合方向に付勢するばねで構成された底蓋受け部と、
（ｃ）その先端部が前記立設片に係合・離脱すると共に、その後端部がボックス本体の側板に突設された揺動軸に軸支されたストッパー片、及びその一端が前記ストッパー片の先端部に取り付けられ、他端が前記揺動軸を越えるようにしてボックス本体の側板に取り付けられ、前記ストッパー片が回動して係合側に位置する場合、前記ストッパー片に対して係合維持方向に付勢力を与え、前記ストッパー片が回動して離脱側に位置する場合、前記ストッパー片に対して離脱維持方向に付勢力を与えるばね部材とで構成されたストッパー部とを有することを特徴とする底蓋開閉式のボックス型パレット。
【請求項２】
前記ストッパー片の先端部が前記立設片から離間して前記立設片のロックを解除した際に、前記ストッパー片に係合する安全レバーがボックス本体に設けられていることを特徴とする請求項１に記載のボックス型パレット。
【発明の詳細な説明】
【技術分野】
【０００１】
本発明は、例えば工場における廃棄物や建築・解体現場における建築廃材などの一時収納や搬送等に用いられるボックス型パレットに関し、特にフォークリフト等で持ち上げてトラックの荷台等にその収容物を排出することが可能な底蓋開閉式のボックス型パレットに関する。
【背景技術】
【０００２】
ボックス本体の下面開口部に開閉自在の底蓋が取り付けられた底蓋開閉式のボックス型パレットとして、底蓋の開閉操作をレバー操作により行うようにしたものが広く知られている。この種のボックス型パレットは、例えば底蓋側にフック受金具が固定されると共に、そのフック受金具に対応してボックス本体側に揺動自在にフックが取り付けられ、底蓋がボックス本体の下面開口部を閉塞した状態においてフックがフック受金具に係合して底蓋がロックされる一方、ボックス本体の側面に設けられて操作レバーを回動操作することにより、フックのフック受金具に対する係合が解除されるようになっている。そして、ボックス型パレット内の収納物をトラック等に積み込む際には、フォークリフトなどで該パレットを持ち上げてトラックの荷台上などに配置した後、レバーを操作して底蓋のロックを解除して底蓋を自重により開放し、パレット内の収納物をトラック荷台上に落とし込むようにして積み込む。
【０００３】
ここで、従来のこの種のボックス型パレットでは、例えばフォークリフト等で吊持しながら搬送しているときに、操作レバー等が作業者の身体などに誤って接触した場合、操作レバー等が誤作動して底蓋のロックが解除されてしまい、不用意に底蓋が開放してしまうと云う問題があった。
【０００４】
そこで、係る問題を解決し得る技術として、下記特許文献１には、操作レバーの回動を規制するロック状態と、操作レバーの回動を許容する解除状態との間で切替え自在なストッパー部材を設けると共に、パレット搬送時等には該ストッパー部材を操作レバーの回動を規制するロック状態に設定して底蓋が不用意に開放されるのを防止する技術が開示されている。
【先行技術文献】
【特許文献】
【０００５】
【特許文献１】特開平６−１９１６０５号公報
【発明の概要】
【発明が解決しようとする課題】
【０００６】
しかしながら、上記従来のストッパー付きのボックス型パレットでは、操作レバーの回動を規制するロック状態、或いは操作レバーの回動を許容する解除状態に設定したストッパー部材に対して不所望な応力が与えられた場合に該ストッパー部材をその状態のまま十分に保持できる構造にはなっていなかった。このため、例えば、操作レバーの回動を規制するロック状態に設定されたストッパー部材に作業員の身体などが誤って接触した場合には、比較的容易にストッパー部材が操作レバーの回動を許容する解除状態に切り替わり、操作レバー等が誤作動して不用意に底蓋が開放してしまうと云った懸念が生じる。一方、操作レバーの回動を許容する解除状態に設定されたストッパー部材に作業員の身体などが誤って接触した場合には、ストッパー部材が操作レバーの回動を規制するロック状態に切り替わり、開放した底蓋を閉じる際に、ロック状態になったストッパー部材を改めて解除状態にした上で底蓋の閉操作をしなければならず底蓋の閉操作に非常に手間が掛かるようになると云った問題が生じる。
【０００７】
それゆえに、本発明の主たる課題は、底蓋の開閉を支障なく行える一方、例えば作業者の身体や周辺設備等に誤って接触したような場合等であっても、底蓋が不用意に開くのを確実に防止することのできる簡単な構造のストッパー部材を備えた底蓋開閉式のボックス型パレットを提供することである。
【課題を解決するための手段】
【０００８】
「請求項１」に記載した発明は、上下両面が開放されたボックス本体１２の下端後縁部に、底蓋１４の後縁部を回動自在に取り付け、その底蓋１４により前記ボックス本体１２の下面開口部１２ｅを開閉自在に構成した底蓋開閉式のボックス型パレット１０であって、
（ａ）前記底蓋１４の前縁部左右両端に突設された被係合体３６と、
（ｂ）前記ボックス本体１２の下端前縁に沿って形成され、前記被係合体３６に対して係合・離脱する底蓋受けロッド３０、該底蓋受けロッド３０の両端部から立設され且つ前記ボックス本体１２の側板１２ｂに回動自在に取り付けられ、底蓋１４の係止解除用の操作レバー１８にて操作される左右一組の立設片３２、及び底蓋受けロッド３０を被係合体３６との係合方向に付勢するばね４０で構成された底蓋受け部１６と、
（ｃ）その先端部５６ａが前記立設片３２に係合・離脱すると共に、その後端部５６ｂがボックス本体１２の側板１２ｂに突設された揺動軸５８に軸支されたストッパー片５６、及びその一端が前記ストッパー片５６の先端部５６ａに取り付けられ、他端が前記揺動軸５８を越えるようにしてボックス本体１２の側板１２ｂに取り付けられ、前記ストッパー片５６が回動して係合側に位置する場合、前記ストッパー片５６に対して係合維持方向に付勢力を与え、前記ストッパー片５６が回動して離脱側に位置する場合、前記ストッパー片５６に対して離脱維持方向に付勢力を与えるばね部材６４とで構成されたストッパー部２０とを有する、ことを特徴とするものである。
【０００９】
この発明では、ストッパー部２０をストッパー片５６及びばね部材６４と云った簡単な構造で構成しているにも拘らず、ばね部材６４の付勢力により、ロック状態とロック解除状態が維持されるので、作業中に立設片３２の回動を規制するロック状態に設定されたストッパー部２０に作業員の身体などが誤って接触した場合であっても、ストッパー部２０が立設片３２の回動を許容する解除状態に切り替わるというような誤作動が生じるのを防止することができ、その結果、不用意に底蓋１４が開放してしまうことを防止することができる。
【００１０】
「請求項２」に記載した発明は、請求項１に記載のボックス型パレット１０において、「前記ストッパー片５６の先端部５６ａが前記立設片３２から離間して前記立設片３２のロックを解除した際に、前記ストッパー片５６に係合する安全レバー７２がボックス本体１２に設けられている」ことを特徴とするもので、このような安全レバー７２を設けることによって、例えば、ボックス本体１２を吊り降ろして底蓋１４の前縁側を地面に接触させ、閉方向に回動させて底蓋１４を閉操作させる際に、何らかの原因によりばね４０の誤作用によりロック状態になってしまった場合、作業者がストッパー片５６を操作して解除し、立設片３２を解除方向に回動させてストッパー部２０を改めて解除状態にし、その上で底蓋１４の閉操作をしなければならず非常に手間が掛かると云った問題をより効果的に防止することができる。
【発明の効果】
【００１１】
本発明によれば、底蓋の開閉を支障なく行える一方、例えば作業者の身体や周辺設備等に誤って接触したような場合等であっても、底蓋が不用意に開くのを確実に防止することのできる簡単な構造のストッパー部を備えた底蓋開閉式のボックス型パレットを提供することができる。
【図面の簡単な説明】
【００１２】
【図１】本発明の一実施例のボックス型パレットを示す側面図である。
【図２】図１におけるＡ矢視図（正面図）である。
【図３】本発明の一実施例のボックス型パレットの底蓋開放状態を示す側面図である。
【図４】本発明における他の実施例のボックス型パレットの要部を示す部分拡大側面図である。
【図５】本発明における他の実施例のボックス型パレットのストッパー部の部分拡大斜視図である。
【発明を実施するための形態】
【００１３】
以下、本発明を図示実施例に従って詳述する。図１は、本発明における一実施例の底蓋開閉式のボックス型パレット１０を示す側面図であり、図２は、図１におけるＡ矢視図(正面図)である。これらの図が示すように、本実施例のボックス型パレット１０は、大略、ボックス本体１２、底蓋１４、底蓋受け部１６、操作レバー１８及びストッパー部２０で構成されている。
【００１４】
ボックス本体１２は、鉄などの金属材料からなる前板１２ａ，左右一対の側板１２ｂ及び後板１２ｃで構成された上下両面が開口した四角形状の容器体で、上面開口部１２ｄが収容物を受容する投入用の開口となる。これに対し、下面開口部１２ｅには、下面開口部１２ｅの形状に倣って方形状に形成されると共にその下面に複数のキャスターＣが取り付けられた底蓋１４が、この下面開口部１２ｅを開閉できるように取り付けられている。具体的には、ボックス本体１２の下端後縁に沿って蝶着軸２２が取り付けられており、この蝶着軸２２に底蓋１４の後縁部が回動自在に取り付けられている。
【００１５】
ここで、底蓋１４の後端部が取り付けられるボックス本体１２の下端後縁の左右両端部には、上述した蝶着軸２２の両端部を支持すると共に、該蝶着軸２２を介してボックス本体１２の下面開口部１２ｅに開閉自在に取り付けられた底蓋１４の開度を規制する、Ｌ字状に折り曲げられた板状のガイド部材２４が取り付けられている。前記底蓋１４の前縁部左右両端には爪状の被係合体３６が突設されており、被係合体３６の下面３６ａは底蓋１４への取り付け面３６ｃに対して９０°より若干小さい角度で形成されており、底蓋受けロッド３０が係合しやすく形成され、その上面３６ｂは先端に向けて下り傾斜に形成されており、後述するように閉蓋時に底蓋受けロッド３０が滑りやすくなるように形成されている。
【００１６】
また、ボックス本体１２の上面開口部１２ｄを構成する前板１２ａ上端及び後板１２ｃ上端の左右両側には、略コ字状に曲成された金属パイプなどの両端部を前板１２ａ及び後板１２ｃの上端部に溶接して形成され、フォークリフトのフォークが差し込まれるフォーク差込部２６が設けられている。
【００１７】
さらに、ボックス本体１２の下端部四隅には、底蓋１４と蝶着軸２２との接続部や(後で詳述する)底蓋受け部１６などを保護する平面視略Ｌ字状のバンパー部材２８が取り付けられている。
【００１８】
そして、ボックス本体１２の前方(図１における左側)下部には底蓋受け部１６を構成する立設片３２が揺動自在に取り付けられ、且つボックス本体１２の左右側面の一方には前記立設片３２を操作するための操作レバー１８が取り付けられると共に、立設片３２の揺動の可否を制御するストッパー部２０が取り付けられている。
【００１９】
底蓋受け部１６は、ボックス本体１２の下端前縁に沿い且つこれと略同幅にて形成された底蓋受けロッド３０、該底蓋受けロッド３０の両端部から立設された左右一組の立設片３２及び底蓋受けロッド３０を被係合体３６との係合方向に付勢するばね４０で構成されており、両立設片３２の軸方向中央部がボックス本体１２の側板１２ｂ外面における下縁部前端に設けられた回動軸３４に回動自在にて取り付けられている。これにより、底蓋受けロッド３０が、立設片３２の回動に伴って底蓋１４の前端左右両端部に突設された爪状の被係合体３６に係合・離脱する。また、左右一組の立設片３２は、底蓋受けロッド３０と平行する補強ロッド３８で補強されている。
【００２０】
ここで、底蓋受け部１６を構成する立設片３２の回動軸３４によって軸支された部分よりも下側の底蓋受けロッド３０近傍部分に設けられたバネ掛け４０ａと側板１２ｂの下縁部前端側に設けられたバネ掛け４０ｂとの間にはコイルばね４０が架設されており、係るコイルばね４０によって底蓋受けロッド３０に底蓋１４の被係合体３６に係合する向きの付勢力が与えられている。
【００２１】
また、左右一組の立設片３２のうち、操作レバー１８によって操作される側の立設片３２は、ボックス本体１２の高さ方向略中央の高さまで伸ばされており、回動軸３４によって軸支された部分よりも上側の位置に、操作レバー１８と立設片３２を繋ぐ水平杆４２の一端が枢着されている。
【００２２】
さらに、底蓋受けロッド３０の被係合体３６に対応する部分には、両者の係合・離脱を容易にすべくベアリング４４が取り付けられている(図２参照)。
【００２３】
操作レバー１８は、上述した水平杆４２を介して底蓋受け部材１６を開操作するロッド状の部材で、その下端部が側板１２ｂの幅方向中央下端部に突設された支持軸４６に回動可能に取り付けられており、その上端部がこの操作レバー１８によって操作される立設片３２の高さより高く、且つボックス本体１２の高さより低い位置に配置されている。
【００２４】
そして、この操作レバー１８の高さ方向中央より下側の位置には、水平杆４２の他端が枢着されており、上端部には、ワイヤー取付孔１８ａが穿設されており、このワイヤー取付孔１８ａに操作レバー１８を遠隔操作するための操作ワイヤー４８の先端が接続されている。
【００２５】
この操作ワイヤー４８は、側板１２ｂ後端側上部に取り付けられた滑車５０を介してボックス本体１２の後方へと引き出されている。なお、図１中の符号５２は操作レバー１８の回動範囲を規定するガイド部材であり、符号５４は本発明のボックス型パレット１０を保管する際などに操作ワイヤー４８及び６６(後述)を収納するためのポケットである。
【００２６】
ストッパー部２０は、その先端が底蓋受け部１６の立設片３２の上端(勿論、別の位置でもよい。)に係合することにより立設片３２が不所望に底蓋１４の解除方向に回動しないようにロックするための安全装置であり、先端部５６ａが立設片３２の上端に係合・離脱すると共に、後端部５６ｂがボックス本体１２の側板１２ｂ外面に突設された揺動軸５８に軸支された鍵状のストッパー片５６と、一端がストッパー片５６の先端部５６ａに突設されたバネ掛け用の先端係止突起６０に取り付けられ、他端が揺動軸５８を越えるようにしてボックス本体１２の側板１２ｂ外面に突設されたバネ掛け用の後端係止突起６２に取り付けられて前記ストッパー片５６に付勢力を与えるコイルばね等からなるばね部材６４で構成されている。なお、ばね部材６４は前記付勢力を与えるものであれば足り、捻りコイルばねのようなものでも良いことは言うまでもない。ストッパー片５６の先端部５６ａは、その下面が逆Ｌ形に切除され且つその切除部分５６ｃを外面を覆うように板部材５６ｄを張着して該切除部分５６ｃに立設片３２の上端３２ａが嵌り込む。この時、前記上端３２ａが切除部分５６ｃのボックス本体１２側端面５６ｅに係止しているので、立設片３２はボックス本体１２側に倒れ込まない。
【００２７】
ここで、このばね部材６４の取付構造についてより詳しく説明すると、ストッパー片５６の先端部５６ａが立設片３２の上端３２ａに係合して立設片３２をロックしている状態では、ばね部材６４の伸縮方向を示す軸線α１（即ち、バネ掛け用の先端係止突起６０と後端係止突起６２とを結ぶ線）がストッパー片５６を軸支する揺動軸５８の中心よりも下側（換言すれば、バネ掛け用の先端係止突起６０と揺動軸５８を結ぶ直線α３を越えて被係合体３６に対して底蓋受けロッド３０が係合を維持する方向に付勢力を与える側）に配置され、ストッパー片５６の先端部５６ａが立設片３２から離間して立設片３２のロックを解除した状態では、ばね部材６４の伸縮方向を示す軸線α２が揺動軸５８の中心を超えて上方（換言すれば、直線α２が直線α３を越え、被係合体３６に対して底蓋受けロッド３０が離脱状態を維持する方向に付勢力を与える側）へと移動するように構成されている。つまり、ばね部材６４の取り付けにこのような構造を採用することによってストッパー部２０にクリック作用を付与することが出来る。
【００２８】
以上のように、ばね部材６４が取り付けられたストッパー片５６の先端部５６ａには、ワイヤー取付孔５６ｆが穿設されており、このワイヤー取付孔５６ｆにストッパー片５６を遠隔操作するための操作ワイヤー６６の先端が接続されている。この操作ワイヤー６６は、側板１２ｂ前端側上部に取り付けられた滑車６８及び側板１２ｂ後端側上部に取り付けられた滑車７０を介してボックス本体１２の後方へと引き出されている。
【００２９】
なお、このストッパー部２０には、その揺動方向に略直交する方向に揺動して、ストッパー片５６の先端部５６ａが立設片３２から離間して立設片３２のロックを解除した状態において、ストッパー片５６が不用意に立設片３２をロックする位置まで下がってくるのを防止する安全レバー７２が取り付けられている。この安全レバー７２は、ストッパー片５６の表面に対してその表面が略直交するように配置されると共に、その上部がボックス本体１２の四隅を構成する支柱１２ｆの側板１２ｂ側の面に揺動可能に軸着された板状の本体部７２ａと、この本体部７２ａのストッパー片５６側の下部側面を鍵状（逆Ｌ形）に切り欠いて形成した係合段部７２ｂとを有する。そして、この安全レバー７２は、ロック状態においてはコイルばね７５によってその下部側面７２ｃがストッパー片５６側に向けて常時付勢され、ストッパー片５６の後端縦片部５６ｂ２に弾接しており、ストッパー片５６の先端部５６ａが立設片３２から離間して立設片３２のロックを解除した際に、前記コイルばね７５のバネ力によって後端縦片部５６ｂ２に弾接していた前記下部側面７２ｃが後端縦片部５６ｂ２から外れてその下部に切欠されて設けられた係合段部７２ｂが後端縦片部５６ｂ２に係合する。これにより、ストッパー片５６に不所望にロック方向で且つばね部材６４の付勢力を越えた外力が加わった場合でも、ストッパー片５６が不用意に立設片３２をロックする位置まで下がってくるのを防止することができる。
【００３０】
また、図１の拡大部分における符号７４は、ストッパー片５６の揺動位置の上限を規制する規制部材である。
【００３１】
次に、以上のように構成されたボックス型パレット１０の作用について説明する。ボックス型パレット１０内に収納された廃棄物や建築廃材などを移動のためトラックの荷台などに積み込む際には、先ず初めに、フォーク差込部２６にフォークリフトのフォークＦを差し込んで、ボックス型パレット１０をトラックの荷台などの上方まで持ち上げる。この際、予め、ポケット５４に収納していた操作ワイヤー４８及び６６を取り出しておく。また、このとき、底蓋受け部１６は、ストッパー部２０によって動作できないようロック状態となっている。
【００３２】
続いて、操作ワイヤー６６を引張って立設片３２の上端部３２ａに係合するストッパー部材５６の先端部５６ａをばね部材６４の付勢力に抗してクリック作用が働く位置まで上方へと持ち上げ(図３における○囲み数字１参照)、ストッパー片５６によって解除状態を維持するようにして立設片３２を回動可能とした後、操作ワイヤー４８を引張って操作レバー１８の上端部をボックス本体１２の後方へ向けて引張る(図３における○囲み数字２参照)。すると、操作レバー１８の駆動力が水平杆４２を介して立設片３２へと伝わり、梃子の作用により回転軸３４を回転中心として底蓋受けロッド３０が底蓋１４の被係合体３６から離間する方向に立設片３２が回転し、底蓋１４が開く、ボックス本体１２内に収納されていたものが下面開口部１２ｅから下方に落下排出されるようになる。
【００３３】
一方、開放した底蓋１４を閉める際には、フォークリフトなどで上方へと持ち上げたボックス型パレット１０を地面或いは床面などの設置面Ｇに降ろす。ここで、本実施例のボックス型パレット１０では、底蓋１４の先端下部に下方に向けて突出した脚部１４ａが設けられると共に、この脚部１４ａの先端にガイドローラー７６が取り付けられているので、ボックス型パレット１０を設置面Ｇに降ろすだけで、ガイドローラー７６が設置面Ｇに転がり接触し、底蓋１４が閉塞方向へとスムーズに移動してボックス本体１２の下端開口部１２ｅを該底蓋１４で閉塞することができる。
【００３４】
この時、バネ部材４０の引張り力によって常時立設片３２は被係合体３６との係合方向に自動的に戻っている、或いはそうでなければ操作レバー１８を前方に移動させて係合方向に戻し、この状態でボックス型パレット１０を設置面Ｇに降ろした時、底蓋１４の被係合体３６に底蓋受けロッド３０が係合する。その後、安全レバー７２を側板１２ｂ側に向けて手動で押し込んで解除した後、ストッパー部材２０のストッパー片５６をクリック作用が働く位置まで下げてその先端部５６ａを立設片３２の上端部に係合させることによってロック状態を固定し底蓋１４の閉塞作業が完了する。
【００３５】
なお、上述の実施例では、図１の右側拡大図に示すように、ストッパー部２０が立設片３２のロックを解除した状態において、ストッパー片５６が不用意に立設片３２をロックする位置まで下がってくるのを防止する安全レバー７２を取り付けると共に、ストッパー片５６の揺動位置の上限を規制する規制部材７４をボックス本体１２の外側面１２ｂに設ける場合を示したが、図４及び図５に示すように、この安全レバー７２と規制部材７４とを一体的に構成するようにしてもよい。
【００３６】
具体的には、上方に向けて立ち上げられたストッパー片５６の後端縦片部５６ｂ２の前方側を楔状に切り欠いて切欠部５６ｃを設け、ストッパー片５６の先端部５６ａを持ち上げて立設片３２のロックを解除した際に、安全レバー７２の係合段部７２ｂがこの切欠部５６ｃに係合してストッパー片５６の揺動位置の上限を規制すると共に、ストッパー片５６が不用意に立設片３２をロックする位置まで下がってくるのを防止するようにする。こうすることにより、ボックス型パレット１０を構成する部品点数を削減して当該パレット１０を経済的に製造することができるようになる。
【符号の説明】
【００３７】
１０…ボックス型パレット
１２…ボックス本体
１２ａ…前板
１２ｂ…側板
１２ｃ…後板
１２ｄ…上面開口部
１２ｅ…下面開口部
１４…底蓋
１４ａ…脚部
１６…底蓋受け部
１８…操作レバー
２０…ストッパー部
２２…蝶着軸
２４…ガイド部材
２８…バンパー部材
３０…底蓋受けロッド
３２…立設片
３４…回動軸
３６…被係合体
３８…補強ロッド
４０…コイルばね
４２…水平杆
４４…ベアリング
４６…支持軸
４８…操作ワイヤー
５６…ストッパー片
５６ａ…(ストッパー片の)先端部
５８…揺動軸
６４…ばね部材
６６…操作ワイヤー
７２…安全レバー
７６…ガイドローラー
【図１】
2010285206.tif 000003
【図２】
2010285206.tif 000004
【図３】
2010285206.tif 000005
【図４】
2010285206.tif 000006
【図５】
2010285206.tif 000007